【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
生物精製システムであって、該システムは、
（ａ）光バイオリアクタシステムと、
（ｂ）嫌気性バイオリアクタシステムと、
（ｃ）該光バイオリアクタシステムの少なくとも一部分、および該嫌気性バイオリアクタシステムの少なくとも一部分を含有するためのエンクロージャであって、該エンクロージャは、植物を成長させるための環境を有する、エンクロージャと
を備える、システム。
【請求項２】
温室システムの中で植物を成長させる方法であって、該方法は、
（ａ）エンクロージャを形成することであって、該エンクロージャの少なくとも一部分は、太陽エネルギーを受容するように構成される、ことと、
（ｂ）該エンクロージャの中に光バイオリアクタシステムの少なくとも一部分を配置することと、
（ｃ）該エンクロージャの中に嫌気性バイオリアクタシステムの少なくとも一部分を配置することと
を含む、方法。
【請求項３】
前記光バイオリアクタシステムは、藻類コロニーを成長させ、藻類の収穫を産生するように構成される、請求項１に記載の生物精製システム。
【請求項４】
前記嫌気性バイオリアクタシステムは、前記藻類の収穫を消費して、メタン、二酸化炭素、水素、および肥料から成る群より選択される１つ以上の生成物を産生するように構成される、請求項１および３のいずれかに記載の生物精製システム。
【請求項５】
前記光バイオリアクタシステムへの原料は、外部システムからの排ガスである、請求項１、３、および４のいずれかに記載の生物精製システム。
【請求項６】
外部システムは、バイオマス熱分解システム、エネルギー変換システム、嫌気性バイオリアクタ、および煙道ガススタックから成る群より選択される、請求項１および３〜５のいずれかに記載の生物精製システム。
【請求項７】
前記光バイオリアクタシステムへの原料は、前記嫌気性バイオリアクタシステムから出力される肥料の少なくとも一部分である、請求項１および３〜６のいずれかに記載の生物精製システム。
【請求項８】
植物灌漑用水は、バイオマス熱分解システムからの再生水から受容される、請求項１および３〜７のいずれかに記載の生物精製システム。
【請求項９】
前記光バイオリアクタは、バイオマス熱分解システムから再生水を受容する、請求項１および３〜８のいずれかに記載の生物精製システム。
【請求項１０】
前記エンクロージャは、太陽エネルギーを受容するように設計される、請求項１および３〜９のいずれかに記載の生物精製システム。
【請求項１１】
前記エンクロージャは、外部システム、ハイドロニクスシステム、および地熱のうちの少なくとも１つから熱を受容するように設計される、請求項１および３〜１０のいずれかに記載の生物精製システム。
【請求項１２】
制御システムをさらに備え、該制御システムは、前記システムの中の複数の構成要素を制御するための複数の自律エージェントを含み、該複数の自律エージェントのうちの１つは、統制エージェントである、請求項１および３〜１１のいずれかに記載の生物精製システム。
【請求項１３】
制御システムは、目標指向挙動モデル、発見的アルゴリズム、およびフルエントから成る群より選択される解決プロセスを使用することによって、適応型であってもよい、請求項１および３〜１２のいずれかに記載の生物精製システム。
【請求項１４】
解決プロセスは、その環境の変化に適応する能力がある、請求項１および３〜１３のいずれかに記載の生物精製システム。
【請求項１５】
制御システムは、別の生物精製システムから情報を受信してもよい、請求項１および３〜１４のいずれかに記載の生物精製システム。
【請求項１６】
バイオマス熱分解システムの生成物は、バイオ炭である、請求項１および３〜１５のいずれかに記載の生物精製システム。
【請求項１７】
前記光バイオリアクタシステムは、藻類コロニーを成長させ、藻類の収穫を産生するように構成される、請求項２に記載の方法。
【請求項１８】
前記嫌気性バイオリアクタシステムは、前記藻類の収穫を消費して、メタン、二酸化炭素、水素、および肥料から成る群より選択される１つ以上の生成物を産生するように構成される、請求項２および１７のいずれかに記載の方法。
【請求項１９】
前記光バイオリアクタシステムへの原料は、外部システムからの排ガスである、請求項２、１７、および１８のいずれかに記載の方法。
【請求項２０】
外部システムは、バイオマス熱分解システム、エネルギー変換システム、嫌気性バイオリアクタ、および煙道ガススタックから成る群より選択される、請求項２および１７〜１９のいずれかに記載の方法。
【請求項２１】
前記光バイオリアクタシステムへの原料は、前記嫌気性バイオリアクタシステムから出力される肥料の少なくとも一部分である、請求項２および１７〜２０のいずれかに記載の方法。
【請求項２２】
植物灌漑用水は、バイオマス熱分解システムからの再生水から受容される、請求項２および１７〜２１のいずれかに記載の方法。
【請求項２３】
前記光バイオリアクタは、バイオマス熱分解システムから再生水を受容する、請求項２および１７〜２２のいずれかに記載の方法。
【請求項２４】
前記エンクロージャは、太陽エネルギーを受容するように設計される、請求項２および１７〜２３のいずれかに記載の方法。
【請求項２５】
前記エンクロージャは、外部システム、ハイドロニクスシステム、および地熱のうちの少なくとも１つから熱を受容するように設計される、請求項２および１７〜２４のいずれかに記載の方法。
【請求項２６】
制御システムをさらに備え、該制御システムは、前記システムの中の複数の構成要素を制御するための複数の自律エージェントを含み、該複数の自律エージェントのうちの１つは、統制エージェントである、請求項２および１７〜２５のいずれかに記載の方法。
【請求項２７】
制御システムは、目標指向挙動モデル、発見的アルゴリズム、およびフルエントから成る群より選択される解決プロセスを使用することによって、適応型であってもよい、請求項２および１７〜２６のいずれかに記載の方法。
【請求項２８】
解決プロセスは、その環境の変化に適応する能力がある、請求項２および１７〜２７のいずれかに記載の方法。
【請求項２９】
制御システムは、別の生物精製システムから情報を受信してもよい、請求項２および１７〜２８のいずれかに記載の方法。
【請求項３０】
バイオマス熱分解システムの生成物は、バイオ炭である、請求項２および１７〜２９のいずれかに記載の方法。
【手続補正２】
【補正対象書類名】明細書
【補正対象項目名】００１４
【補正方法】変更
【補正の内容】
【００１４】
本開示の別の実施形態によれば、生物精製システム用の制御システムが提供される。制御システムは、概して、生物学的プロセスと、生物精製システム内の複数の構成要素を制御するための複数の自律エージェントであって、複数の自律エージェントのうちの１つは、統制エージェントである、自律エージェントとを含む。
本願明細書は、例えば、以下の項目も提供する。
（項目１）
生物精製システムであって、該システムは、
（ａ）光バイオリアクタシステムと、
（ｂ）嫌気性バイオリアクタシステムと、
（ｃ）該光バイオリアクタシステムの少なくとも一部分、および該嫌気性バイオリアクタシステムの少なくとも一部分を含有するためのエンクロージャであって、該エンクロージャは、植物を成長させるための環境を有する、エンクロージャと
を備える、システム。
（項目２）
前記光バイオリアクタシステムは、藻類コロニーを成長させ、藻類の収穫を産生するように構成される、項目１に記載の生物精製システム。
（項目３）
前記嫌気性バイオリアクタシステムは、前記藻類の収穫を消費して、メタン、二酸化炭素、水素、および肥料から成る群より選択される１つ以上の生成物を産生するように構成される、項目２に記載の生物精製システム。
（項目４）
前記光バイオリアクタシステムへの原料は、外部システムからの排ガスである、項目１に記載の生物精製システム。
（項目５）
前記外部システムは、バイオマス熱分解システム、エネルギー変換システム、嫌気性バイオリアクタ、および煙道ガススタックから成る群より選択される、項目４に記載の生物精製システム。
（項目６）
前記光バイオリアクタシステムへの原料は、前記嫌気性バイオリアクタシステムから出力される肥料の少なくとも一部分である、項目１に記載の生物精製システム。
（項目７）
植物灌漑用水は、バイオマス熱分解システムからの再生水から受容される、項目１に記載の生物精製システム。
（項目８）
前記光バイオリアクタは、バイオマス熱分解システムから再生水を受容する、項目１に記載の生物精製システム。
（項目９）
前記エンクロージャは、太陽エネルギーを受容するように設計される、項目１に記載の生物精製システム。
（項目１０）
前記エンクロージャは、外部システム、ハイドロニクスシステム、および地熱のうちの少なくとも１つから熱を受容するように設計される、項目１に記載の生物精製システム。
（項目１１）
前記システムは、管理された入力および出力を有する、項目１に記載の生物精製システム。
（項目１２）
制御システムをさらに備え、該制御システムは、前記システムの中の複数の構成要素を制御するための複数の自律エージェントを含み、該複数の自律エージェントのうちの１つは、統制エージェントである、項目１に記載の生物精製システム。
（項目１３）
前記制御システムは、反応型、予測型、適応型、またはそれらの組み合わせであってもよい、項目１２に記載の生物精製システム。
（項目１４）
前記制御システムは、目標指向挙動モデル、発見的アルゴリズム、およびフルエントから成る群より選択される解決プロセスを使用することによって、適応型であってもよい、項目１２に記載の生物精製システム。
（項目１５）
前記解決プロセスは、その環境の変化に適応する能力がある、項目１４に記載の生物精製システム。
（項目１６）
前記制御システムは、別の生物精製システムから情報を受信してもよい、項目１２に記載の生物精製システム。
（項目１７）
温室システムの中で植物を成長させる方法であって、該方法は、
（ａ）エンクロージャを形成することであって、該エンクロージャの少なくとも一部分は、太陽エネルギーを受容するように構成される、ことと、
（ｂ）該エンクロージャの中に光バイオリアクタシステムの少なくとも一部分を配置することと、
（ｃ）該エンクロージャの中に嫌気性バイオリアクタシステムの少なくとも一部分を配置することと
を含む、方法。
（項目１８）
前記光バイオリアクタシステムの中で藻類コロニーを成長させることをさらに含み、該成長させることにより、藻類の収穫を産生する、項目１７に記載の方法。
（項目１９）
前記嫌気性バイオリアクタシステムの中で前記藻類の収穫を消費することをさらに含み、該消費することにより、メタン、水素、および肥料から成る群より選択される１つ以上の生成物を産生する、項目１８に記載の方法。
（項目２０）
外部システムから前記光バイオリアクタシステムまで排ガスを送給することをさらに含む、項目１７に記載の方法。
（項目２１）
前記外部システムは、バイオマス熱分解システム、エネルギー変換システム、嫌気性バイオリアクタ、および煙道ガススタックから成る群より選択される、項目２０に記載の方法。
（項目２２）
前記嫌気性バイオリアクタシステムから前記光バイオリアクタシステムまで出力される肥料の少なくとも一部分を送給することをさらに含む、項目１７に記載の方法。
（項目２３）
外部システム、ハイドロニクスシステム、および地熱のうちの少なくとも１つから受容される熱を用いて前記エンクロージャを加熱することをさらに含む、項目１７に記載の方法。
（項目２４）
前記温室システムの中の前記構成要素の作用を制御することをさらに含む、項目１７に記載の方法。
（項目２５）
藻類コロニーを成長させるための光バイオリアクタシステムであって、該システムは、
（ａ）排ガスの源と、
（ｂ）該排ガスを消費して藻類コロニーを成長させるように構成された複数の水路を含む水路システムと、
（ｃ）該水路のうちの少なくとも１つから該藻類コロニーを排出するための弁システムであって、該複数の水路の各々は、該弁システムに隣接するように配置される、弁システムと
を備える、システム。
（項目２６）
前記光バイオリアクタシステムは、熱、栄養物、および太陽エネルギーのうちの少なくとも１つをさらに受容して、前記藻類コロニーを成長させる、項目２５に記載の光バイオリアクタシステム。
（項目２７）
前記藻類コロニーは、周期的に収穫されることにより、藻類の収穫を産生する、項目２５に記載の光バイオリアクタシステム。
（項目２８）
前記藻類の収穫は、窒素肥料を産生する嫌気性バイオリアクタまたはエネルギー変換システムのうちの少なくとも１つによって消費されることができる、項目２７に記載の光バイオリアクタシステム。
（項目２９）
前記排ガスの源は、バイオマス熱分解システム、エネルギー変換システム、嫌気性バイオリアクタ、および煙道ガススタックから成る群より選択される、項目２５に記載の光バイオリアクタシステム。
（項目３０）
前記水路システムは、混合システムを含み、該混合システムは、各水路の中に、混合装置と、少なくとも１つの仕切りとを含む、項目２５に記載の光バイオリアクタシステム。
（項目３１）
前記水路システムは、混合システムを含み、該混合システムは、各水路の中に、混合装置と、少なくとも２つの仕切りとを含む、項目２５に記載の光バイオリアクタシステム。
（項目３２）
前記藻類コロニーを脱水するための脱水システムをさらに備える、項目２５に記載の光バイオリアクタシステム。
（項目３３）
前記脱水された藻類コロニーからの水は、接種のために前記水路に戻される、項目３２に記載の光バイオリアクタシステム。
（項目３４）
前記脱水された藻類コロニーは、消化のために嫌気性バイオリアクタシステムに送達される、項目３２に記載の光バイオリアクタシステム。
（項目３５）
藻類コロニーを成長させる方法であって、該方法は、
（ａ）複数の水路を含む水路システムを有する光バイオリアクタシステムを提供することと、
（ｂ）排ガスを該藻類コロニーに送達することと、
（ｃ）該藻類コロニーが所定のコロニー密度に達した後に、弁システムを使用して該藻類コロニーを排出することであって、該複数の水路の各々は、該弁システムに隣接するように配置される、ことと
を含む、方法。
（項目３６）
排ガスを隔離してエネルギーを産生するための生物精製システムであって、該システムは、
（ａ）セルロースバイオマスを消費して排ガスを産生するように構成されたバイオマス熱分解装置と、
（ｂ）該バイオマス熱分解装置からの該排ガスを消費して藻類コロニーを成長させるように構成された光バイオリアクタシステムと
を備える、システム。
（項目３７）
前記バイオマス熱分解装置は、有機炭素をさらに産生する、項目３６に記載のシステム。
（項目３８）
嫌気性バイオリアクタシステムをさらに備え、該嫌気性バイオリアクタシステムは、前記藻類の収穫を消費して水素およびメタンのうちの少なくとも１つを産生するように構成される、項目３６に記載の生物精製システム。
（項目３９）
前記嫌気性バイオリアクタシステムは、窒素肥料をさらに産生する、項目３８に記載のシステム。
（項目４０）
二酸化炭素を隔離する方法であって、該方法は、
（ａ）バイオマス熱分解システムから二酸化炭素を取得することと、
（ｂ）該二酸化炭素を消費のために藻類コロニーに方向付けることと
を含む、方法。
（項目４１）
（ａ）約２：１から約４０：１の範囲内の炭素対窒素比と、
（ｂ）約０．５から約７．０パーセントの範囲内のカリウム含有量と
を備える、土壌再生生成物。
（項目４２）
約０．１５から約１．３パーセントの範囲内の硫酸塩含有量をさらに備える、項目４０に記載の生成物。
（項目４３）
約０．５から約６．８パーセントの範囲内のカルシウム含有量をさらに備える、項目４０に記載の生成物。
（項目４４）
約０．２５から約１．６パーセントの範囲内のマグネシウム含有量をさらに備える、項目４０に記載の生成物。
（項目４５）
約０．７５から約１３ｍｇ／Ｌの範囲内の銅含有量をさらに備える、項目４０に記載の生成物。
（項目４６）
約１００から約３５０ｍｇ／Ｌの範囲内のマンガン含有量をさらに備える、項目４０に記載の生成物。
（項目４７）
約０．４から約２．０パーセントの範囲内の窒素含有量をさらに備える、項目４０に記載の生成物。
（項目４８）
約０．４から約１．５パーセントの範囲内のリン含有量をさらに備える、項目４０に記載の生成物。
（項目４９）
約０．５から約１８パーセントの範囲内のナトリウム含有量をさらに備える、項目４０に記載の生成物。
（項目５０）
約８４から約２３３．１ｍｇ／Ｌの範囲内の亜鉛含有量をさらに備える、項目４０に記載の生成物。
（項目５１）
約６００から約２５００ｍｇ／Ｌの範囲内の鉄含有量をさらに備える、項目４０に記載の生成物。
（項目５２）
約５から約１５０ｍｇ／Ｌの範囲合のホウ素含有量をさらに備える、項目４０に記載の生成物。
（項目５３）
前記生成物は、約５．４から約９．６の範囲内のｐＨを有する、項目４０に記載の生成物。
（項目５４）
土壌再生生成物であって、該生成物は、
（ａ）約２：１から約４０：１の範囲内の炭素対窒素比と、
（ｂ）第２の構成要素と
を備え、該第２の構成要素は、
約０．５から約７．０パーセントの範囲内のカリウム含有量、
約０．１５から約１．３パーセントの範囲内の硫酸塩含有量、
約０．５から約６．８パーセントの範囲内のカルシウム含有量、
約１００から約３５０ｍｇ／Ｌの範囲内のマンガン含有量、
約０．４から約２．０パーセントの範囲内の窒素含有量、
約０．４から約１．５パーセントの範囲内のリン含有量、
約０．５から約１８パーセントの範囲内のナトリウム含有量、
約８４から約２３３．１ｍｇ／Ｌの範囲内の亜鉛含有量、
約６００から約２５００ｍｇ／Ｌの範囲内の鉄含有量、
約５から約１５０ｍｇ／Ｌの範囲内のホウ素含有量、
およびそれらの組み合わせから成る群より選択される、生成物。
（項目５５）
水を改善する方法であって、該方法は、
（ａ）バイオマス熱分解装置を使用して、有機炭素生成物を生成することと、
（ｂ）該有機炭素生成物を使用して、第１のレベルの不純物を含有する水を濾過することにより第２のレベルの不純物を含有する水を産生することであって、該第２のレベルの不純物は、該第１のレベルの不純物よりも少ない、ことと
を含む、方法。
（項目５６）
生物精製システムのための制御システムであって、該制御システムは、
（ａ）生物学的プロセスと、
（ｂ）該生物精製システムの中の複数の構成要素を制御するための複数の自律エージェントであって、該複数の自律エージェントのうちの１つは、統制エージェントである、自律エージェントと
を備える、制御システム。
（項目５７）
前記制御システムは、反応型、予測型、適応型、またはそれらの組み合わせであってもよい、項目５６に記載の制御システム。
（項目５８）
前記制御システムは、目標指向挙動モデル、発見的アルゴリズム、およびフルエントから成る群より選択される解決プロセスを使用することによって、適応型であってもよい、項目５６に記載の制御システム。
（項目５９）
前記制御システムは、別の生物精製システムから情報を受信してもよい、項目５６に記載の制御システム。
（項目６０）
前記自律エージェントのうちの少なくとも１つは、生体系の能力を模倣することにより、進化し、その環境の変化に適応する、項目５６に記載の制御システム。
（項目６１）
前記統制エージェントは、生体系の能力を模倣することにより、進化し、その環境の変化に適応する、項目５６に記載の制御システム。
（項目６２）
前記自律エージェントは、変化を達成するための新しい方法を継続的に発見する能力がある、項目５６に記載の制御システム。